【事件の表示】
　特願２０１０−５５００５１「内燃機関の排ガス流れへ尿素溶液を注入するための配量システム」拒絶査定不服審判事件〔平成２１年　９月１７日国際公開、ＷＯ２００９／１１２１２９、平成２３年　４月２８日国内公表、特表２０１１−５１３６４５〕について、次のとおり審決する。
【結　論】
　本件審判の請求は、成り立たない。
【理　由】
第１　手続の経緯及び本願発明 
　本願は、２００９年２月２日（パリ条約による優先権主張外国庁受理２００８年３月１２日　ドイツ連邦共和国）を国際出願日とする出願であって、平成２２年８月１９日に特許法第１８４条の５第１項に規定する国内書面が提出され、平成２４年１２月２７日付けで拒絶理由が通知され、平成２５年５月２０日に意見書並びに明細書及び特許請求の範囲を補正する補正書が提出されたが、平成２５年１０月２２日付けで拒絶査定がされた。 
　これに対し、平成２６年２月２６日に拒絶査定に対する審判請求がされると同時に手続補正書が提出されたものである。　 
　そして、平成２６年２月２６日に提出された手続補正書による補正は、請求項の削除及び明りょうでない記載の釈明を目的としたものであるところ、本願の請求項１に係る発明（以下、「本願発明」という。）は、その特許請求の範囲の請求項１に記載された以下のとおりのものと認める。 
 　 
「　【請求項１】
　選択的触媒還元用として内燃機関の排ガス流れ（９）に尿素溶液を噴霧するための配量システムにして、尿素溶液を取り出すことができる尿素溶液タンク（１）に接続できると共に、圧縮空気供給ライン（６）に接続できる配量システムであって、尿素溶液を圧縮空気によって排ガス流れ（９）に導入できる少なくとも１つの二流体ノズル（５）を有する配量システムにおいて、
　この配量システムが、前記圧縮空気供給ライン（６）の圧力および／または空気量および／または弁開時間を制御できる空気弁（７）を有すること、および、
　前記空気弁（７）と前記ノズル（５）の間に、前記圧縮空気供給ライン（６）における圧力および／または空気量を測定するためのセンサが配置され、さらに、
　前記二流体ノズル（５）が外部混合ノズルであり、
　尿素ライン（４）と圧縮空気供給ラインの間に接続ライン（１３）が配置され、この接続ライン（１３）が逆止弁（１４）を有することを特徴とする配量システム。」 
 　 
 　 
第２　引用文献に記載された発明 
（１−ａ）本願の優先日前に頒布された刊行物であり、原査定の拒絶の理由に引用された特開２００７−４０１１８号公報（以下、「引用文献１」という。）には、次の事項が記載されている。なお、下線は当審が付したものである。 
  
ア．「【０００１】
　本発明は、エンジンの排気ガス中に尿素水を噴出する尿素水ノズル装置に関する。
【背景技術】
【０００２】
　
エンジン（コージェネレーションシステム用ガスエンジン、車両用ディーゼルエンジンなど）の排気ガスにはＮＯｘ（窒素酸化物）が含まれており、この排気ガスのＮＯｘの排出量を規制値内に抑えるために、エンジンの排気系に簡易脱硝装置を設けたもの
・・・（中略）・・・
【０００８】
　本発明の目的は、尿素水を充分に微粒化して排気ガス中に噴出されるさせることができる尿素水ノズル装置を提供することである。
【課題を解決するための手段】
【０００９】
　
本発明の請求項１に記載の尿素水ノズル装置は、エンジンの排気ガス中に尿素水を噴出する尿素水ノズル装置であって、排気ガスが流れる排気管に取り付けられるノズル本体を備え、前記ノズル本体の先端噴出部は前記排気管内に突出し、前記先端噴出部には少なくとも３重の噴出口が同心状に設けられ、前記噴出口は空気を噴出する空気用噴出口と尿素水を噴出する尿素水用噴出口とが交互に配設されていることを特徴とする。
【００１０】
　また、本発明の請求項２に記載の尿素水ノズル装置では、前記ノズル本体の先端噴出部には３重の噴出口が同心状に設けられ、前記空気用噴出口は径方向内側及び外側に配設され、前記尿素水用噴出口は内側空気用噴出口と外側空気用噴出口との間に配設されていることを特徴とする。
【００１１】
　更に、本発明の請求項３に記載の尿素水ノズル装置では、前記ノズル本体の前記内側空気用噴出口に空気を送給するための第１空気流路の流路断面積と前記外側空気用噴出口に空気を送給するための第２空気流路の流路断面積は実質上等しく、空気供給源から供給される空気は、前記第１及び第２空気流路を通して前記内側及び外側空気用噴出口に実質上均等に配分して送給されることを特徴とする。
【発明の効果】
【００１２】
　
本発明の請求項１に記載の尿素水ノズル装置によれば、ノズル本体の先端噴出部には少なくとも３重の噴出口が同心状に配設され、これら噴出口は尿素水を噴出する尿素水用噴出口と空気を噴出する空気用噴出口とが交互に配設されているので、空気用噴出口から噴出された空気が尿素水用噴出口から噴出された尿素水に効果的に作用して霧化し、その気化を促進することができる。
【００１３】
　また、本発明の請求項２に記載の尿素水ノズル装置によれば、ノズル本体の先端噴出部に３重の噴出口が設けられ、空気用噴出口が内側及び外側に配設され、尿素用噴出口がこれら空気用噴出口の間に配設されているので、尿素用噴出口から噴出する尿素水には径方向内側からは内側空気用噴出口から噴出される空気が作用し、また径方向外側からは外側空気用噴出口から噴出される空気が作用し、径方向両側から作用する空気によって尿素水を効果的に霧化させて短時間に気化させることができ、また液滴の発生もより少なくすることができる。
【００１４】
　更に、本発明の請求項３に記載の尿素水ノズル装置によれば、第１空気流路の流路断面積と第２空気流路の流路断面積とが実質上等しいので、空気供給源から供給される空気は第１及び第２空気流路に実質上均等に配分されて内側及び外側空気噴出口に送給され、これによって、尿素水噴出口から噴出される尿素水には径方向内側及び外側からほぼ同量の空気が作用し、かくして尿素水噴出口からの尿素水をより効率よく霧化し、短時間に気化することができる。」（段落【０００１】ないし【００１４】） 
 　 
イ．「【００１５】
　以下、図１及び図２を参照して、本発明に従う尿素水ノズル装置の一実施形態について説明する。図１は、一実施形態の尿素水ノズル装置を装備したエンジンの排気系を簡略的に示す図であり、図２は、図１の尿素水ノズル装置の一部を示す部分断面図である。
【００１６】
　
図１において、コージェネレーションシステムのガスエンジンの如きエンジン２２の排気系２４に簡易脱硝装置２６が配設され、この簡易脱硝装置２６は、エンジン２２の排気系２４の排気管２８に取り付けられた尿素水ノズル装置３０と、この尿素水ノズル装置３０の下流側に配設されたＮＯｘ触媒３２とを備えており、尿素水ノズル装置３０の先端噴出部３１が排気管２８内に突出している。尿素水ノズル装置３０は、尿素タンクの如き尿素供給源３２に接続されているとともに、コンプレッサの如き空気供給源３４に接続されており、後述する如く、尿素供給源３２からの尿素水は尿素水送給流路３６を通して尿素水ノズル装置３０に供給されるとともに、空気供給源３４からの圧縮空気が空気送給流路３８を通して尿素水ノズル装置３０に送給される。また、ＮＯｘ触媒３２は、排気管２８によって規定される排気流路４０に配設され、尿素水ノズル装置３０の取付部位より所定距離、例えば０．８〜１．３ｍ程度下流側に配設される。
【００１７】
　
この簡易脱硝装置２６を装備したエンジン２２においては、次のようにして排気ガス中のＮＯｘの濃度が低減される。即ち、エンジン２２からの排気ガスは、矢印４２で示すように排気流路４０を通して外部に排出される。尿素水ノズル装置３０は、排気流路４０を流れる排気ガスに向けて圧縮空気とともに尿素水を噴出し、尿素水ノズル装置３０から噴出される尿素水が圧縮空気によって霧化され、Ｎｏｘ触媒３２に向けて下流側に流れる間に気化され、気化した尿素水を含む排気ガスがＮＯｘ触媒３２に送給される。ＮＯｘ触媒３２では、尿素水の分解により生成されるアンモニアと排気ガス中のＮＯｘガスとが反応し、かかる反応によって排気ガス中のＮＯｘが少なくなり、ＮＯｘ濃度が低減した排気ガスが外部に排出される。
 　 
ウ．「【００１８】
　次に、図２を参照して、この簡易脱硝装置２６の尿素水ノズル装置３０について説明する。尿素水ノズル装置３０は、排気管２８に取り付けられるノズル本体５２を備えており、このノズル本体５２の先端噴出部３１が排気管２８を貫通して排気流路４２に位置している。この先端噴出部３１の先端面には、三つの噴出口５４，５６，５８が同心状に設けられ、この実施形態では、内側の噴出口５４及び外側の噴出口５８が圧縮空気が噴出する空気用噴出口として機能し、内側及び外側の両噴出口５４，５８の間に位置する中間噴出口５６が尿素水が噴出する尿素水用噴出口として機能する。
【００１９】
　上述したように噴出口５４，５６，５８が設けられていること関連して、ノズル本体５２内には、細長い内側スリーブ６０が設けられ、この内側スリーブ６０の先端部に接続部材６２が設けられ、この接続部材６２に内側ノズル６４が取り付けられている。内側スリーブ６０は径方向内側に第１空気流路６６を規定し、内側ノズル６４の先端部（径方向内側の円形状開口）に内側噴出口５４が規定され、第１空気流路６６が内側ノズル６４を通して内側噴出口５４に連通している。
【００２０】
　また、内側スリーブ６０、接続部材６２及び内側ノズル６４の径方向外側には、中間スリーブ６８及び中間ノズル７０が配設されている。中間スリーブ６８は径方向内側の内側スリーブ６０との間に環状の尿素水流路７２を規定し、また中間ノズル７０の先端部（中間ノズル７０と内側ノズル６４との間の環状開口）に中間噴出口５６が規定され、尿素水流路７２が中間ノズル７０の径方向内側を通して中間噴出口５６に連通している。尚、この形態では、中間ノズル７０は接続部材６２の外周面に接するように装着され、この中間ノズル７０の接触部材６２と接する内周面には、周方向に間隔をおいて複数の連通孔７４が設けられ、かかる連通孔７４を通して尿素水流路７２と中間噴出口５６とが連通されている。
【００２１】
　更に、中間スリーブ６８及び中間ノズル７０の径方向外側には、外側スリーブ７６及び外側ノズル７８が配設されている。外側スリーブ７６は径方向内側の中間スリーブ６８との間に環状の第２空気流路８０を規定し、また外側ノズル７８の先端部（外側ノズル７８と中間ノズル７０との間の環状開口）に外側噴出口５８が規定され、第２空気流路８０が外側ノズル７８の径方向内側を通して外側噴出口５８に連通している。尚、この形態では、外側ノズル７８は中間ノズル７０の外周面に接するように装着され、この外側ノズル７８の中間ノズル７０と接する内周面には、周方向に間隔をおいて複数の連通孔８２が設けられ、かかる連通孔８２を通して第２空気流路８０と外側噴出口５８とが連通されている。
【００２２】
　ノズル本体５２の第１及び第２空気流路６６，８０は、空気送給流路３８を介して空気供給源３４（図１参照）に接続され、その尿素水流路７２は尿素水流路３６を介して尿素水供給源３２（図１参照）に接続されている。
【００２３】
　上述した尿素水ノズル装置３０においては、尿素水供給源３２から尿素水送給流路３６を通して送給される尿素水は、ノズル本体５２内の尿素水流路８０及び連通孔７４を通して中間噴出口５６に供給され、この中間噴出口５６から排気流路４０を流れる排気ガスに向けて噴出される。また、空気供給源３４から空気送給流路３８を通して送給される圧縮空気は、ノズル本体５２内の第１空気流路６６を通して内側噴出口５４に供給されるとともに、その第２空気流路８０及び連通孔８２を通して外側噴出口５８に供給され、これら内側及び外側噴出口５４，５８から排気ガスに向けて噴出される。このとき、内側噴出口５４から噴出される圧縮空気の噴出量と外側噴出口５８から噴出される圧縮空気の噴出量がほぼ等しくなるように、第１空気流路６６の一部の流路断面積と第２空気流路８０の一部の流路断面積とが実質上等しくなるように構成するのが好ましい。
【００２４】
　
このように尿素水及び圧縮空気が噴出するので、中間噴出口５６から噴出する尿素水に、内側噴出口５４から噴出する圧縮空気が径方向内側から、また外側噴出口５８から噴出する圧縮空気が径方向外側から外側から作用するので、噴出する尿素水に対する圧縮空気による霧化が効果的に行われ、これによって尿素水の気化が促進される。
 　 
（１−ｂ）ここで、上記（１−ａ）ア．ないしウ．から、次のことが分かる。 
　
カ．上記イ．の段落【００１６】及び図１の記載から、引用文献１には、尿素水ノズル装置３０、尿素タンクの如き尿素供給源３２、コンプレッサの如き空気供給源３４、尿素水送給流路３６、及び空気送給流路３８等から構成されるシステムが記載されていることが分かる。 
 
キ．上記ア．の段落【０００２】、イ．の段落【００１６】及び【００１７】並びに図１の記載から、尿素水ノズル装置３０、尿素タンクの如き尿素供給源３２、コンプレッサの如き空気供給源３４、尿素水送給流路３６、及び空気送給流路３８等から構成されるシステムは、尿素水の分解により生成されるアンモニアと排気ガス中のＮＯｘとをＮＯｘ触媒で反応させるためにエンジンの排気流路４０に尿素水を霧化するためのものであることが分かる。 
ク．上記イ．の段落【００１６】及び【００１７】並びに図１の記載から、尿素水ノズル装置３０、尿素タンクの如き尿素供給源３２、コンプレッサの如き空気供給源３４、尿素水送給流路３６、及び空気送給流路３８等から構成されるシステムは、尿素水を取り出すことができる尿素タンクの如き尿素供給源３２に接続できると共に、空気送給流路３８に接続できる装置であって、尿素水を圧縮空気によって排気流路４０に導入できる少なくとも１つの尿素水ノズル装置３０を有することが分かる。 
 　 
ケ．上記ア．の段落【０００９】及び【００１２】、ウ．の段落【００２４】並びに図２の記載から、尿素水ノズル装置３０は、ノズル先端噴出部で尿素水と空気が作用して霧化するものあることが分かる。 
 　 
（１−ｃ）上記（１−ａ）及び（１−ｂ）より、引用文献１には、次の発明（以下、「引用文献１記載の発明」という。）が記載されている。 
 　 
「尿素水の分解により生成されるアンモニアと排気ガス中のＮＯｘとをＮＯｘ触媒で反応させるためにエンジンの排気流路４０に尿素水を霧化するための尿素水ノズル装置３０、尿素タンクの如き尿素供給源３２、コンプレッサの如き空気供給源３４、尿素水送給流路３６、及び空気送給流路３８等から構成されるシステムにして、尿素水を取り出すことができる尿素タンクの如き尿素供給源３２に接続できると共に、空気送給流路３８に接続できる尿素水ノズル装置３０、尿素タンクの如き尿素供給源３２、コンプレッサの如き空気供給源３４、尿素水送給流路３６、及び空気送給流路３８等から構成されるシステムであって、尿素水を圧縮空気によって排気流路４０に導入できる少なくとも１つの尿素水ノズル装置３０を有する尿素水ノズル装置３０、尿素タンクの如き尿素供給源３２、コンプレッサの如き空気供給源３４、尿素水送給流路３６、及び空気送給流路３８等から構成されるシステムにおいて、
　前記尿素水ノズル装置３０がノズル先端噴出部で尿素水と空気が作用して霧化するものある尿素水ノズル装置３０、尿素タンクの如き尿素供給源３２、コンプレッサの如き空気供給源３４、尿素水送給流路３６、及び空気送給流路３８等から構成されるシステム。」 
 
（２−ａ）本願の優先日前に頒布された刊行物であり、原査定の拒絶の理由に引用された特表２００７−５３１８４３号公報（以下、「引用文献２」という。）には、次の事項が記載されている。なお、下線は当審が付したものである。
　
サ．「【００１４】
　
図１は内燃機関１０を示し、内燃機関１０の吸気領域内に空気センサ１１が配置され、内燃機関１０の排気通路１２内に、噴霧装置１３、排気温度センサ１４、触媒１５が配置されている。
【００１５】
　
制御ユニット２０は、空気センサ１１から提供された空気信号ｍＬと、内燃機関１０から提供された回転速度Ｎと、排気温度センサ１４により測定された排気温度ＴａｂｇＩｗと、反応剤圧力センサ２１から提供された反応剤圧力実際値ｐＲｅａＩｗと、圧縮空気圧力センサ２２から提供された圧縮空気圧力実際値ｐＤＬＩｗと、反応剤温度センサ２３から提供された反応剤温度ＴＲｅａと、提供されたトルク目標値ｍｉｆａとを受け取る。
【００１６】
　制御ユニット２０は、燃料信号ｍＫを内燃機関１０に、配量弁操作信号ｑＲｅａを配量弁３０に、反応剤ポンプ操作信号３１を反応剤ポンプ３２に、圧縮空気制御弁操作信号３３を圧縮空気制御弁３４に出力する。
【００１７】
　制御ユニット２０は、排気速度ｖａｂｇを決定するための第１の機能ブロック４１と、排気圧力ｐａｂｇを決定するための第２の機能ブロック４２と、計算排気温度ＴａｂｇＲを決定するための第３の機能ブロック４３と、トルクＭｄを決定するための第４の機能ブロック４４とを含む。
【００１８】
　制御ユニット２０は、さらに、反応剤圧力目標値設定手段５０および圧縮空気圧力目標値設定手段５２を含み、反応剤圧力目標値設定手段５０は、反応剤圧力目標値ｐＲｅａＳｗを反応剤ポンプ操作手段５１に出力し、反応剤ポンプ操作手段５１は反応剤ポンプ操作信号３１を提供し、圧縮空気圧力目標値設定手段５２は圧縮空気圧力目標値ｐＤＬＳｗを圧縮空気制御弁操作手段５３に出力し、圧縮空気制御弁操作手段５３は圧縮空気制御弁操作信号３３を提供する。
【００１９】
　反応剤温度センサ２３は、反応剤容器６０内に貯蔵されている反応剤の温度を測定する。圧縮空気制御弁３４は、圧縮空気容器６１内において利用可能な圧縮空気の圧縮空気圧力目標値ｐＤＬＳｗを設定する。
【００２０】
　圧縮空気は超臨界絞り６２および逆止弁６３内を流動し、その後にミキサ６４内に到達し、ミキサ６４は、圧縮空気を、配量弁３０から注入された反応剤と混合する。ミキサ６４は噴霧装置１３と結合されている。」（段落【００１４】ないし【００２０】） 
 　 
シ．「【００２１】
　本発明による方法は次のように行われる。
　内燃機関１０の排気領域内に配置されている触媒１５は、ＳＣＲ触媒であることが好ましく、ＳＣＲ触媒は、内燃機関１０の排気ガス内に含まれている窒素酸化物ＮＯおよびＮＯ２を窒素に還元する。ＳＣＲ触媒１５は、還元反応のためにアンモニアを必要とする。アンモニアは、ＳＣＲ触媒１５の手前上流側に配置されている、詳細には図示されていない加水分解触媒内において、尿素水溶液から得られ、尿素水溶液は噴霧装置１３により排気ガス流れ内に注入される。尿素水溶液は反応剤に対する一例である。
【００２２】
　反応剤容器（タンク）６０内に貯蔵されている反応剤は、反応剤ポンプ３２により、例えば４バールの反応剤圧力目標値ｐＲｅａＳｗに上昇され、それに続いて配量弁３０に供給される。反応剤量／単位時間は、配量弁操作信号ｑＲｅａにより設定される。配量弁操作信号ｑＲｅａは、制御ユニット２０が、回転速度Ｎおよび燃料信号ｍＫの関数として、または回転速度ＮおよびトルクＭｄの関数として求められる所定の特性曲線群から決定してもよい。配量弁操作信号ｑＲｅａは、配量弁３０を、例えば反応剤に対する所定の開口断面積に開放させる。ミキサ６４内において反応剤は圧縮空気と混合される。
【００２３】
　圧縮空気は、圧縮空気制御弁３４内において、例えば８バールの圧力に制限される。超臨界絞り６２後方の圧力は、ミキサ６４の手前の逆止弁６３が開放され且つ圧縮空気がミキサ６４内に流入するのに十分な値に決定されるべきである。超臨界絞り６２内を流動したのちに、例えば４．６バールの圧力が発生する。逆止弁６３における、例えば０．６バールの圧力降下を考慮して、ミキサ６４内の圧縮空気圧力は最終的に４バールの値を有している。
【００２４】
　
トルクＭｄは、トルク目標値ｍｉｆａの関数として、および内燃機関１０の他の既知の変数の関数として、冒頭記載の従来技術により決定される。  本発明により、反応剤圧力目標値ｐＲｅａＳｗおよび場合により圧縮空気圧力目標値ｐＤＬＳｗを設定するように設計されている。所定の反応剤圧力目標値ｐＲｅａＳｗおよび場合により所定の圧縮空気圧力目標値ｐＤＬＳｗは、実験により、噴霧装置１３の後方において排気通路１２の全断面にわたり反応剤の良好な噴霧および均等な分配が達成されるように決定される。ここで、反応剤液滴サイズが重要であることは明らかである。
 　 
（２−ｂ）ここで、上記（２−ａ）サ．及びシ．から、次のことが分かる。
　
タ．上記シ．及び図１の記載から、引用文献２には、反応剤容器（タンク）６０、反応剤ポンプ３２、圧縮空気容器６１、圧縮空気制御弁３４、圧縮空気圧力センサ２２、噴霧装置１３等から構成される尿素水溶液を排気通路内に噴霧する噴霧システムが記載されていることが分かる。
　
チ．上記サ．及びシ．並びに図１の記載から、引用文献２には、圧縮空気容器６１から圧縮空気を供給するラインが記載されていることが分かる。
　
ツ．上記サ．及びシ．並びに図１の記載から、上記噴霧システムは、ＳＣＲ触媒還元用として内燃機関の排気通路１２内に尿素水溶液を噴霧するためのもので、尿素水溶液を取り出すことができる反応剤容器６０に接続できると共に、圧縮空気容器６１から圧縮空気を供給するラインに接続でき、尿素水溶液を圧縮空気によって排気通路１２内に導入できる少なくとも１つの噴霧装置１３を有することが分かる。
　
テ．上記サ．及びシ．並びに図１の記載から、上記噴霧システムが、前記圧縮空気容器６１から圧縮空気を供給するラインの圧力を制御できる圧縮空気制御弁３４を有すること、および、前記圧縮空気制御弁３４と前記噴霧装置１３の間に、前記圧縮空気容器６１から圧縮空気を供給するラインにおける圧力を測定するための圧縮空気圧力センサ２２が配置されていることが分かる。
　
（２−ｃ）上記（２−ａ）及び（２−ｂ）より、引用文献２には、次の発明（以下、「引用文献２記載の発明」という。）が記載されている。
　
「ＳＣＲ触媒還元用として内燃機関の排気通路１２内に尿素水溶液を噴霧するための噴霧システムにして、尿素水溶液を取り出すことができる反応剤容器６０に接続できると共に、圧縮空気容器６１から圧縮空気を供給するラインに接続できる噴霧システムであって、尿素水溶液を圧縮空気によって排気通路１２内に導入できる少なくとも１つの噴霧装置１３を有する噴霧システムにおいて、
　この噴霧システムが、前記圧縮空気容器６１から圧縮空気を供給するラインの圧力を制御できる圧縮空気制御弁３４を有すること、および、
　前記圧縮空気制御弁３４と前記噴霧装置１３の間に、前記圧縮空気容器６１から圧縮空気を供給するラインにおける圧力を測定するための圧縮空気圧力センサ２２が配置されている噴霧システム。」
　
（３−ａ）本願の優先日前に頒布された刊行物であり、原査定の拒絶の理由に引用された特開平２−２２３６２５号公報（以下、「引用文献３」という。）には、次の事項が記載されている。なお、下線は当審が付したものである。
　
ナ．「［実施例］
　以下第１図に示す実施例について本発明を具体的に説明する。
　同図において、５’はアンモニア混合装置
３
　アンモニア水噴霧ノズル５’の外形がアンモニア水噴霧ノズル５と若干相違するのは、アンモニア水噴霧ノズル５’では第２図示のアンモニア水噴霧ノズル５’をノズル収納筒に収納し、外形を整えたものを表示したためである。
　したがって、アンモニア供給口９ａ、圧縮空気供給口１０ａは対応部分に同一符号で示してある。またその他の対応部分の説明も第２図の符号を用いて説明する。
　
１１は圧縮空気供給用の電磁弁で、圧縮空気源とアンモニア水噴霧ノズル５’の圧縮空気供給口１０ａ間に配管を介して接続される。１２はアンモニア供給用の電磁弁で、逆止弁１２ａを介してアンモニア水供給源にアンモニア水噴霧ノズル５’のアンモニア水供給口９ａを接続する。
　
１３は洗浄用空気供給用の電磁弁で、逆止弁１３ａを介して圧縮空気源にアンモニア水供給口９ａを接続する。
 　 
ニ．「［作用］
　電磁弁１１，１２を作動して開き、供給口９ａからアンモニア水を、また、供給口１０ａから圧縮空気を供給すれば、アンモニア水噴霧ノズル５’の先端のノズル部９ｃから噴霧化されたアンモニア水が噴出される。
　ところで、アンモニア水噴霧ノズル５’は、脱硝装置用としては、第３図に示すように排気ガスが供給されるエルボ４内にその先端部が突入されるように組み込まれて、アンモニア混合装置
３
　
ところで、本発明のものでは、エンジン１の運転中のアンモニア水噴霧ノズル５’の作動中即ちアンモニア水の噴射中に、洗浄用空気供給用の電磁弁１３を短時間（たとえば、３０秒）開くことにより、圧縮空気が電磁弁１３逆止弁１３ａを介して供給口９ａからアンモニア水通路９ｂを経てノズル部９ｃへ噴出されるので、ススＳ
１
，Ｓ
２
を瞬時に吹き飛ばすことができる。
 　 
（３−ｂ）ここで、上記（２−ａ）ナ．及びニ．から、次のことが分かる。
　
ハ．上記ナ．及び図１の記載から、図１の系統図には、アンモニア水を供給する配管と圧縮空気を供給する配管の間に洗浄用空気を供給する配管が配置され、この洗浄用空気を供給する配管が逆止弁１３ａを有することが記載されていることが分かる。
　
ヒ．上記ニ．及び図１の記載から、引用文献３には、圧縮空気をノズル部へ噴出させてノズル部に入り込んだススを吹き飛ばすために、アンモニア水を供給する配管と圧縮空気を供給する配管の間に逆止弁１３ａを有する洗浄用空気を供給する配管を配置した噴霧システムが記載されていることが分かる。
　
（３−ｃ）上記（３−ａ）及び（３−ｂ）より、引用文献３には、次の発明（以下、「引用文献３記載の発明」という。）が記載されている。
　
「圧縮空気をノズル部へ噴出させてノズル部に入り込んだススを吹き飛ばすために、アンモニア水を供給する配管と圧縮空気を供給する配管の間に洗浄用空気を供給する配管が配置され、この洗浄用空気を供給する配管が逆止弁１３ａを有する噴霧システム。」
　
 　　 
第３　対比 
　本願発明と引用文献１記載の発明とを対比すると、引用文献１記載の発明における「尿素水の分解により生成されるアンモニアと排気ガス中のＮＯｘとをＮＯｘ触媒で反応させるために」は、その構造及び機能又は技術的意義からみて、本願発明における「選択的触媒還元用として」に相当し、以下同様に、「エンジン」は「内燃機関」に、「排気流路４０」は「排ガス流れ（９）」に、「尿素水」は「尿素溶液」に、「霧化」は「噴霧」に、「尿素タンクの如き尿素供給源３２」は「尿素溶液タンク（１）」に、「空気送給流路３８」は「圧縮空気供給ライン（６）」に、「圧縮空気」は「圧縮空気」に、「尿素水ノズル装置３０」は「二流体ノズル（５）」に、「ノズル先端噴出部で尿素水と空気が作用して霧化するもの」は「外部混合ノズル」に、「尿素水送給流路３６」は「尿素ライン（４）」に、それぞれ相当する。 
　また、引用文献１記載の発明における「尿素水ノズル装置３０、尿素タンクの如き尿素供給源３２、コンプレッサの如き空気供給源３４、尿素水送給流路３６、及び空気送給流路３８等から構成されるシステム」は、排ガス中に尿素水を噴出するためのシステムであり、尿素水の微粒化（霧化）を図るものであるので、本願発明における「配量システム」に相当する。
 　 
　したがって、本願発明と引用文献１記載の発明は、 
 「　選択的触媒還元用として内燃機関の排ガス流れに尿素溶液を噴霧するための配量システムにして、尿素溶液を取り出すことができる尿素溶液タンクに接続できると共に、圧縮空気供給ラインに接続できる配量システムであって、尿素溶液を圧縮空気によって排ガス流れに導入できる少なくとも１つの二流体ノズルを有する配量システムにおいて、
　前記二流体ノズルが外部混合ノズルである配量システム。」である点で一致し、次の点において相違する。 
  
〈相違点〉 
「配量システム」に関して、本願発明においては、「前記圧縮空気供給ライン（６）の圧力および／または空気量および／または弁開時間を制御できる空気弁（７）を有すること、および、前記空気弁（７）と前記ノズル（５）の間に、前記圧縮空気供給ライン（６）における圧力および／または空気量を測定するためのセンサが配置され」ているのに対して、引用文献１記載の発明においては、そのような空気弁およびセンサを有していない点（以下、「相違点１」という。）。 
 　 
「尿素ライン（４）と圧縮空気供給ラインの間」に関して、本願発明においては、「尿素ライン（４）と圧縮空気供給ラインの間に接続ライン（１３）が配置され、この接続ライン（１３）が逆止弁（１４）を有する」のに対して、引用文献１記載の発明においては、そのような逆止弁を有する接続ラインを有していない点（以下、「相違点２」という。）。 
 　　 
　
第４　判断 
　上記相違点１及び２について、以下検討する。 
・相違点１について 
　本願発明と引用文献２記載の発明を対比すると、引用文献２記載の発明における「ＳＣＲ触媒還元用」は、その構成、機能及び技術的意義からみて、本願発明の「選択的触媒還元用」に、以下同様に、「内燃機関」は「内燃機関」に、「排気通路１２内」は「排ガス流れ（９）」に、「尿素水溶液」は「尿素溶液」に、「噴霧」は「噴霧」に、「噴霧システム」は「配量システム」に、「反応剤容器６０」は「尿素溶液タンク（１）」に、「圧縮空気容器６１から圧縮空気を供給するライン」は「圧縮空気供給ライン（６）」に、「圧縮空気」は「圧縮空気」に、「圧縮空気制御弁３４」は「空気弁（７）」に、「圧縮空気圧力センサ２２」は「センサ」に、それぞれ相当し、引用文献２記載の発明における「噴霧装置１３」は、本願発明における「二流体ノズル（５）」及び「ノズル（５）」と、「噴霧装置」という限りにおいて一致するので、引用文献２記載の発明を本願発明の用語で表現すると、
「選択的触媒還元用として内燃機関の排ガス流れに尿素溶液を噴霧するための配量システムにして、尿素溶液を取り出すことができる尿素溶液タンクに接続できると共に、圧縮空気供給ラインに接続できる配量システムであって、尿素溶液を圧縮空気によって排ガス流れに導入できる少なくとも１つの噴霧装置を有する配量システムにおいて、
　この配量システムが、前記圧縮空気供給ラインの圧力を制御できる空気弁を有すること、および、
　前記空気弁と前記噴霧装置の間に、前記圧縮空気供給ラインにおける圧力を測定するためのセンサが配置された配量システムに関する技術。」（以下、「引用文献２記載の技術」という。）ということができる。
　また、上記（２−ａ）シ．の段落【００２４】の記載からみて、引用文献２記載の技術は、排気通路の全断面にわたり尿素溶液の良好な噴霧および均等な分配が達成されるような尿素溶液液滴サイズとなるように、圧縮空気圧力等を所定の目標値となるように制御すること、及び、圧縮空気圧力を目標値となるように制御するために、圧縮空気供給ラインの圧力を制御できる空気弁を有し、空気弁と噴射装置の間に、圧縮空気供給ラインにおける圧力を測定するためのセンサが配置されているものである。
　ここで、引用文献１記載の発明も、引用文献２記載の技術も、共に、選択的触媒還元用として内燃機関の排ガス流れに尿素溶液を噴霧するための配量システムである点で共通しており、さらに、引用文献１記載の発明においても、尿素水を充分に微粒化して排気ガス中に噴出させるもの（（1−ａ）ア．の段落【０００８】等参照。）であるので、尿素溶液の良好な噴霧および均等な分配が達成されるような尿素溶液液滴サイズにするという課題があることは、当業者にとって自明であるので、引用文献１記載の発明において、引用文献２記載の技術を参酌して圧縮空気の圧力を制御することを可能とするための構成を付加すること、すなわち、圧縮空気供給ラインの圧力を制御できる空気弁を有し、空気弁とノズルの間に、圧縮空気供給ラインにおける圧力を測定するためのセンサが配置されている構成とし、上記相違点１に係る本願発明の発明特定事項とすることは、当業者が容易になし得ることである。
　なお、請求人は審判請求書の第４ページ第２８行ないし第５ページ第２行及び第５ページ第１２ないし１５行において、引用文献２には、圧縮空気が必ずしも必要でないような記載があり（特に段落【００３６】）、圧縮空気の利用を否定する記載がある以上、阻害要因を有する旨主張しているが、引用文献２の段落【００３６】の記載は、それより前の圧縮空気を利用する実施例の記載に対し、圧縮空気が必ずしも必要でないことが記載されているにすぎず、圧縮空気の利用する実施例を否定するものではないので、阻害要因を有するとまではいえない。
　
・相違点２について 
　本願発明と引用文献３記載の発明を対比すると、引用文献３記載の発明における「圧縮空気を供給する配管」は、その構成、機能及び技術的意義からみて、本願発明の「圧縮空気供給ライン」に、以下同様に、「洗浄用空気を供給する配管」は「接続ライン（１３）」に、「逆止弁１３ａ」は「逆止弁（１４）」に、「噴霧システム」は「配量システム」に、それぞれ相当し、引用文献３記載の発明における「アンモニア水を供給する配管」は、本願発明における「尿素ライン（４）」と、「還元剤を供給するライン」という限りにおいて一致するので、引用文献３記載の発明を本願発明の用語で表現すると、
「圧縮空気をノズル部へ噴出させてノズル部に入り込んだススを吹き飛ばすために、還元剤を供給する配管と圧縮空気供給ラインの間に接続ラインが配置され、この接続ラインが逆止弁を有する配量システムに関する技術。」（以下、「引用文献３記載の技術」という。）ということできる。
　また、還元剤として尿素水を噴射するＳＣＲ触媒システムにおいて、尿素の結晶化に伴って噴霧ノズル等が閉塞することは周知な課題（例えば、特開平５−２６９３５１号公報の段落【０００６】等、特開２００４−２９０８３５号公報の段落【０００５】及び【００３２】等、特表２００５−５０７９８５号公報の段落【０００４】等参照。以下、「周知課題」という。）であるので、還元剤として尿素水を噴射する引用文献１記載の発明においても、周知課題を内在していることは当業者には自明である。
　してみると、引用文献１記載の発明も、引用文献３記載の技術も、共に、脱硝装置にアンモニア系の還元剤を供給する配量システムである点で共通しているので、引用文献１記載の発明において、引用文献３記載の技術を参酌すれば、周知課題を克服する目的で、尿素ラインと圧縮空気供給ラインの間に、逆止弁を有する接続ラインを付加し、上記相違点２に係る本願発明の発明特定事項とすることは、当業者が容易になし得ることである。
　
　また、本願発明を全体として検討しても、引用文献１記載の発明、引用文献２記載の技術及び引用文献３記載の技術から予測される以上の格別の効果を奏するとも認めることができない。 
 　　 
 　　
第５　むすび  
　したがって、本願発明は、引用文献１記載の発明、引用文献２記載の技術及び引用文献３記載の技術に基づいて当業者が容易に発明をすることができたものであるから、特許法第２９条第２項の規定により特許を受けることができない。 
  
 　よって、結論のとおり審決する。